(57)【要約】  曲面用フック１は、係止部５が設けられた本体部１０と、平坦面、及び曲面に対して吸着可能な吸着部材を保持した吸着部２０Ａ〜２０Ｄとを有する。本体部と吸着部は、弾性を有する素材によって一体形成され、吸着部は、本体部１０に設けられる係止部５の支持位置を中心として径方向に向けて複数個、突出形成されている。吸着部は、係止部５の支持位置を中心として、その周りに略等間隔で配置されており、本体部１０には、係止部の支持位置を通る直線を中心として、複数個の吸着部が屈曲可能となるように、直線の両サイドに対称となる薄肉厚部が形成されている。
2014203624.tif 000002
【特許請求の範囲】
【請求項１】
物を吊るす係止部が設けられた本体部と、
平坦面、及び曲面に対して吸着可能な吸着部材を保持した吸着部と、
を有する曲面用フックであって、
前記本体部と吸着部は、弾性を有する素材によって一体的に形成されるとともに、前記吸着部は、前記本体部に設けられる係止部の支持位置を中心として径方向に向けて複数個、突出形成されており、
前記本体部から複数個、突出形成されている前記吸着部は、前記係止部の支持位置を中心として、その周りに略等間隔で配置されており、
前記本体部、及び／又は、前記複数個の吸着部には、前記係止部の支持位置を通る直線を中心として、前記複数個の吸着部が屈曲可能となるように、前記直線の両サイドに対称となる薄肉厚部が形成されている、
ことを特徴とする曲面用フック。
【請求項２】
前記複数個の吸着部は、それぞれの吸着部材が前記本体部の係止部の支持位置を中心とした任意円の円周上に配置されるように、前記本体部に一体形成されていることを特徴とする請求項１に記載の曲面用フック。
【請求項３】
前記係止部は、前記本体部に対し、１つの面内で略９０°回動可能に支持されていることを特徴とする請求項１又は２に記載の曲面用フック。
【請求項４】
前記係止部は、前記本体部に対し、３６０°に亘って軸周りに回転可能に支持されていることを特徴とする請求項１から３のいずれか１項に記載の曲面用フック。
【請求項５】
前記本体部に３６０°回転可能な基台を設け、前記係止部を基台に支持したことを特徴とする請求項１から４のいずれか１項に記載の曲面用フック。
【請求項６】
前記薄肉厚部は、前記直線の方向に沿った方向に指向する溝を有することを特徴とする請求項１から５のいずれか１項に記載の曲面用フック。
【請求項７】
前記薄肉厚部は、前記直線を中心として、両サイドに形成される凹部、又はテーパを有することを特徴とする請求項１から６のいずれか１項に記載の曲面用フック。
【請求項８】
前記吸着部材は磁石であり、各吸着部の磁石はヨークに保持され、その吸着部分が前記係止部の支持位置を通る前記直線と平行となるように仕向けられていることを特徴とする請求項１から７のいずれか１項に記載の曲面用フック。
【請求項９】
前記各吸着部には、開口が形成されており、前記磁石を保持したヨークは開口内に保持されて、蓋体によって閉塞されていることを特徴とする請求項８に記載の曲面用フック。
【請求項１０】
前記各吸着部には、前記蓋体と反対側に薄膜が一体形成されており、前記吸着部分は、薄膜を介して前記平坦面、及び曲面に吸着されることを特徴とする請求項９に記載の曲面用フック。
【発明の詳細な説明】
【技術分野】
【０００１】
本発明は、平坦面に加え、曲面に対しても装着可能な曲面用フックに関する。
【背景技術】
【０００２】
一般的に、壁に対して物を引っ掛けるフックは、両面テープや磁石による吸着部材を備えている。例えば、特許文献１には、略Ｘ字形状の４本の脚の先端を屈曲させ、それぞれの脚部の先端に、磁石を備えた吸着部を一体形成したフック構造が開示されている。このフック構造は、４本の脚が交差した部分に物を吊るすための係止部を備えており、前記４本の脚は形状変化できる構成であるため、平坦面に加え曲面に対しても装着可能となっている。【０００３】
また、特許文献２には、長方形状の補助板の裏面側に複数の磁石を直線状に配置したフック構造が開示されている。前記補助板は、しなりのある柔らかい材質で形成されているため、特許文献１に開示された構成と同様、平坦面に加え、曲面に対しても取着可能となっている。
【先行技術文献】
【特許文献】
【０００４】
【特許文献１】特開２００５−３０５８１号
【特許文献２】特開２０１１−２２０５１５号
【発明の概要】
【発明が解決しようとする課題】
【０００５】
しかしながら、上記した特許文献１に開示されているフック構造では、前記４本の脚の間隔が均一でないため、係止部に物を吊るした際、荷重に対する吸着位置のバランスが悪く、直ぐに剥がれてしまう。また、前記４本の脚の先端を装着面側に屈曲させ、それぞれの端部に吸着部を形成しているため、係止部の位置が装着面から離間した状態となる。このため、物を吊した際のモーメントが大きくなってしまい、直ぐに剥がれてしまう。【０００６】
また、上記した特許文献２に開示されているフック構造では、磁石が直線状に配列されているため、それぞれの磁石の位置に作用する負荷が均一ではなく、容易に剥がれ易い。また、補助板は、横方向に広がる長方形状であるため、装着面が大きくなってしまい、細い円柱構造物に対する装着性が悪い。【０００７】
本発明は、上記した課題に着目してなされたものであり、平坦面に加え、曲面に対しても容易に装着することができ、剥がれ難く、コンパクトな構成の曲面用フックを提供することを目的とする。
【課題を解決するための手段】
【０００８】
上記した課題を解決するために、本発明に係る曲面用フックは、物を吊るす係止部が設けられた本体部と、平坦面、及び曲面に対して吸着可能な吸着部材を保持した吸着部と、を有し、前記本体部と吸着部は、弾性を有する素材によって一体的に形成されるとともに、前記吸着部は、前記本体部に設けられる係止部の支持位置を中心として径方向に向けて複数個、突出形成されており、前記本体部から複数個、突出形成されている前記吸着部は、前記係止部の支持位置を中心として、その周りに略等間隔で配置されており、前記本体部、及び／又は、前記複数個の吸着部には、前記係止部の支持位置を通る直線を中心として、前記複数個の吸着部が屈曲可能となるように、前記直線の両サイドに対称となる薄肉厚部が形成されている、ことを特徴とする。【０００９】
上記した構成の曲面用フックは、本体部と、この本体部から径方向に向けて延びる複数個の吸着部が弾性を有する素材によって一体的に形成されている。前記複数の吸着部は、本体部に設けられる係止部の支持位置を中心として、その周りに略等間隔で配置されていることから、係止部に物を吊るした際、複数の吸着部に対する荷重のバラツキが少なくなり、剥がれ難くなる。また、各吸着部は、本体部に対して径方向に向けて突出するように配設されることから、係止部に物を吊るした際、吸着部に保持された吸着部材には、大きなモーメントが作用することもなく、各吸着部は剥がれ難くなる。さらに、本体部と吸着部は、弾性を有する素材によって一体的に形成されており、本体部、及び／又は、複数個の吸着部には、係止部の支持位置を通る直線を中心として、複数個の吸着部が屈曲可能となるように、前記直線の両サイドに対称となる薄肉厚部が形成されている。このため、その直線を中心にして両サイドが薄肉厚部の領域で撓むことができ、平坦面のみならず、円筒面や球面等に追従するように変形して、曲面に対しても装着することが可能となる。【００１０】
上記した構成において、吸着部に保持される吸着部材については、磁石や両面テープ等、磁性面や非磁性面に対して取着できるような部材が該当する。【００１１】
また、上記した構成において、物を吊るす係止部は、本体部に対し固定されている構成、本体部に対し１つの面内で略９０°回動可能に支持されている構成、本体部に対し３６０°に亘って軸周りに回転可能に支持されている構成であっても良い。あるいは、本体部に３６０°回転可能な基台を設けておき、その基台に係止部を固定する構成、基台に１つの面内で略９０°回動可能に支持する構成、基台に３６０°に亘って軸周りに回転可能に支持する構成であっても良い。【００１２】
また、薄肉厚部については、本体部と吸着部の構造にもよるが、本体部のみに形成する構成、本体部から吸着部に亘って形成する構成、吸着部のみに形成する構成が含まれる。また、そのような薄肉厚部については、係止部の中心位置を通る直線を中心として、その両サイドに対称となる（撓みが対称となる）ように形成されていれば良く、溝やテーパ、或いは、これらの組み合わせであっても良い。すなわち、係止部の支持位置を通る直線を中心として、その両サイドの領域（両サイドに位置する吸着部）が対称に屈曲できるように形成されたものであれば良い。また、そのような薄肉厚部については、係止部の支持位置を通る直線を中心として、その両サイドに形成されていれば良いが、更に、その直線に対して直交する直線を中心として、その両サイドに形成されていても良い。このような構成では、吸着部は、本体部に対し、直交する複数の方向に沿って屈曲することが可能となる。【００１３】
前記本体部に対して径方向に突出形成される吸着部は、複数個形成されていれば良く、等間隔に配されていればその個数については限定されることはない。また、本体部の係止部の支持位置から、それぞれの吸着部分までの長さについては、全てが等しい距離にあるのが好ましいが、支持位置からの各吸着部の距離が異なっていても良い。その場合、１８０°間隔の部分が等距離になっていることが好ましい。
【発明の効果】
【００１４】
本発明によれば、平坦面に加え、曲面に対しても装着することができ、剥がれ難く、コンパクトな構成の曲面用フックが得られる。
【図面の簡単な説明】
【００１５】
【図１】本発明に係る曲面用フックの基本構造を模式的に示した図。
【図２】本発明に係る曲面用フックの第１の実施形態を示す図であり、（ａ）は底面図、（ｂ）は正面図、（ｃ）は側面図。
【図３】図２に示す曲面用フックの係止部の支持領域を拡大して示す図。
【図４】図２に示す曲面用フックの背面図。
【図５】係止部が支持される本体部の断面図であり、（ａ）は垂直方向に沿った断面図、（ｂ）は水平方向に沿った断面図。
【図６】吸着部における磁石を保持する部分の断面図であり、（ａ）はフックカバーと固定具部による取付け構造を示す図、（ｂ）は吸着部に磁石を保持した際の配置関係を示す図。
【図７】図２に示す曲面用フックの分解図。
【図８】曲面用フックの装着例を示す図であり、（ａ）は垂直な円柱部材に装着した状態を示す図、（ｂ）は水平な円柱部材に装着した状態を示す図。
【図９】本発明に係る曲面用フックの第２の実施形態を示す正面図。
【図１０】図９に示す曲面用フックの分解図。
【発明を実施するための形態】
【００１６】
以下、添付図面を参照して、本発明の実施形態に係る曲面用フックについて具体的に説明する。
【００１７】
図１は、本発明に係る曲面用フックの基本構造を模式的に示した図である。
本発明に係る曲面用フック１は、例えば、図２に示す実施形態のように、物を吊るす係止部（物を掛ける部分）５が設けられた本体部１０と、平坦面、及び曲面（図示せず）に対して吸着可能な吸着部材を保持した吸着部２０Ａ〜２０Ｄと、を有している。
【００１８】
図１において、直交するＸ軸とＹ軸の中心Ｃに係止部５の支持位置Ｃ（荷重が作用する位置）が存在しており、そのような係止部５は、本体部１０に設けられている（本体部１０は分かり易いように矩形の点線で示されている）。また、本体部１０には、係止部５の支持位置Ｃを中心として径方向（放射方向）に向けて複数個の吸着部２０Ａ〜２０Ｄが突出形成されている。
【００１９】
図１では、吸着部は４つ示されており、各吸着部２０Ａ〜２０Ｄは、本体部１０の外縁部から外方に突出するように形成されている。各吸着部２０Ａ〜２０Ｄは、吸着部材（以下の実施形態では磁石で構成される）を保持しており、各吸着部２０Ａ〜２０Ｄに保持された吸着部材が、平坦面、及び曲面に対して吸着可能となっている。
【００２０】
前記吸着部２０Ａ〜２０Ｄは、支持位置Ｃを中心として、その周りに略等間隔で配置されており、図１に示す構成では、略９０°間隔で本体部１０の周りに突出形成されている。具体的には、図１において、各吸着部２０Ａ〜２０Ｄに保持される吸着部材の略中心位置を符号Ｍ１〜Ｍ４（吸着中心領域）で示しており、支持位置Ｃと、それぞれの吸着中心領域Ｍ１〜Ｍ４を結んだ直線Ｄ１〜Ｄ４が、略等間隔（図１では略９０°の間隔）となるように各吸着部が配置される。
【００２１】
前記各吸着中心領域Ｍ１〜Ｍ４は、吸着バランスを考慮して、支持位置Ｃから等距離に配置されていることが好ましく、４つの吸着部を設ける場合、図１に示すように、支持位置Ｃを中心とした任意の円周Ｃ１上に、全ての吸着中心領域Ｍ１〜Ｍ４を配置しておくことが好ましい。なお、全ての吸着中心領域Ｍ１〜Ｍ４が支持位置Ｃから等距離に存在しない構成であっても良い。例えば、９０°間隔で４つの吸着部を設ける場合、吸着中心領域Ｍ５，Ｍ６を任意の円周Ｃ２上に、吸着中心領域Ｍ７，Ｍ８を任意の円周Ｃ１上に配置する構成であっても良い。
【００２２】
前記吸着部２０Ａ〜２０Ｄの形成個数については、特に限定されるものではなく、２つ（略１８０°間隔）、３つ（略１２０°間隔）、５つ（略７２°間隔）、６つ（略６０°間隔）…にする等、適宜変形することが可能である。また、複数個の吸着部は、必ずしも略等間隔に配設する必要はない。例えば、図１において、２つの吸着部２０Ｃ，２０Ｄを配設することなく、２つの吸着部２０Ａ，２０Ｂを配設したものであっても良い。このような構成では、支持位置Ｃから等距離に、各吸着部２０Ａ，２０Ｂの中心領域Ｍ１，Ｍ２を位置させることで吸着バランスを維持することが可能である。
【００２３】
前記本体部１０と吸着部２０Ａ〜２０Ｄは、弾性を有する素材、例えば、エラストマーのような合成樹脂によって一体的に形成されている。この場合、本体部１０と吸着部２０Ａ〜２０Ｄは、型によって同一素材で一体形成することが好ましいが、別々に形成し一体化する構成であっても良い。
【００２４】
前記本体部１０、及び／又は、前記複数個の吸着部２０Ａ〜２０Ｄには、係止部５の中心位置Ｃを通る直線（図１では、Ｙ軸となる）を中心として、その両サイドに対称となる薄肉厚部（薄肉厚部が形成される位置は、Ｙ軸に対して対称となる直線Ｙ１，Ｙ２上となる）が形成されている。すなわち、このような薄肉厚部を形成することによって、吸着部２０Ａ，２０Ｂ、及び、吸着部２０Ｃ，２０Ｄは、Ｙ軸を中心として屈曲するように撓み易くなり、吸着部分が曲面に対して追従し易くなる。
【００２５】
この場合、薄肉厚部については、本体部１０、及び、各吸着部２０Ａ〜２０Ｄの配置構成にもよるが、本体部１０のみに形成する構成、本体部１０から吸着部２０Ａ〜２０Ｄに亘って形成する構成、吸着部２０Ａ〜２０Ｄのみに形成する構成が含まれる。また、図１では、Ｙ軸を中心としてその両サイドに形成したが、Ｙ軸の両サイドに加え、Ｘ軸の両サイドに形成しても良い。このような構成では、Ｘ軸及びＹ軸を中心として屈曲し易くなることから、全体としての撓み性の向上が図れ、曲面に対して追従し易くなる。ただし、曲面に装着して係止部に重量物を吊るした際、吸着部同士の変位が大きくなって剥がれ易くなることから、吸着部と本体部との間に補強部を形成したり、厚肉部を形成したり、硬度の高い材料を用いる等、補強手段を用いることが好ましい。
【００２６】
次に、図２から図７を参照して、本実施形態に係る曲面用フックの構成について説明する。これらの図において、図２は、曲面用フックの第１の実施形態を示す図であり、（ａ）は底面図、（ｂ）は正面図、（ｃ）は側面図、図３は、図２に示す曲面用フックの係止部の支持領域を拡大して示す図、図４は、図２に示す曲面用フックの背面図、図５は、係止部が支持される本体部の断面図であり、（ａ）は垂直方向に沿った断面図、（ｂ）は水平方向に沿った断面図、図６は、吸着部における磁石を保持する部分の断面図であり、（ａ）はフックカバーと固定具部による取付け構造を示す図、（ｂ）は吸着部に磁石を保持した際の配置関係を示す図、そして、図７は、図２に示す曲面用フックの分解図である。
【００２７】
上記したように、本体部１０の周縁部には、径方向に突出するように４つの吸着部２０Ａ〜２０Ｄが一体形成されており、吸着部２０Ａ〜２０Ｄは、その裏面が本体部１０の裏面と面一状に形成されている。また、本体部１０の中央部分には、係止部５の基端部５ｂが支持されている。この場合、係止部５は、ステンレス等の金属によって棒状に形成されており、本体部１０の中央から、吸着部の間、具体的には、図２に示す吸着部２０Ｃと吸着部２０Ｄの間を通って鉛直下方に延びるように支持されている。
【００２８】
前記係止部５の先端部５ａは、図２に示すように屈曲して、物を吊るすことができるようになっており、基端部５ｂは球状に形成されている。球状に形成された基端部５ｂは、図５に示すように、本体部１０の裏側から圧入されて本体部１０と一体化されるフックベース１１に形成された略半球状の凹所１１ａに保持される。
【００２９】
前記フックベース１１は、本体部よりも硬質な樹脂で形成するのが好ましく、図４に示すように、本体部１０の裏側で、吸着部２０Ａと吸着部２０Ｂの間、及び、吸着部２０Ｃと吸着部２０Ｄの間に延びるとともに、図５及び図７に示すように、本体部１０に対して圧入される略円筒形状の圧入部１１Ａを有する部材である。この圧入部１１Ａの先端には、前記略半球状の凹所１１ａが形成されており、前記係止部５は、本体部１０の裏側から圧入されるフックベース１１と、表側から取着されるフックカバー１２に挟持された状態で保持される。
【００３０】
前記フックカバー１２は、本体部よりも硬質な樹脂で形成するのが好ましく、前記フックベース１１に対して本体部の表側から被着される部材である。フックカバー１２には、フックベース１１の圧入部１１Ａに形成された略半球状の凹所１１ａに対向して凹所１２ａが形成されており、フックカバー１２をフックベース１１に取着することで、係止部５は、球状の基端部５ｂが凹所１１ａ，１２ａに収容されて本体部１０に対して保持された状態となる。なお、前記本体部１０の裏面には、Ｙ軸方向に延びる凹所１０ａが形成されており（図４参照）、この凹所１０ａにフックベース１１を圧入すると、フックベース１１は、本体部１０の裏面と略面一状になるように形成されている（図４参照）。
【００３１】
前記本体部１０、フックベース１１及びフックカバー１２には、適所に凹凸部や圧入変形部が形成されている（詳細な構造については説明を省略する）。これによりフックベース１１を本体部１０に取着する際、及びフックカバー１２をフックベース１１に取着する際、これら凹凸部が相互に嵌入し、かつ、必要に応じて弾性変形することにより、各部材相互の取着状態が維持される。また、大きな負荷が作用した際、前記圧入変形部が変形して、本体部１０が変形し難いように構成されている。また、図５（ｂ）及び図７に示すように、たとえばフックカバー１２にピン１４を圧入して、フックカバー１２をフックベース１１に固定するように構成しても良く、これにより両部材を強固に固定し、変形を防止することが可能となる。或いは、フックベース１１の裏面側からネジを螺入し、フックベース１１とフックカバー１２を固定しても良い。
【００３２】
また、本実施形態では、フックカバー１２には、鉛直方向に沿った開口１２ｂが形成されており（図３参照）、係止部５は、本体部１０に対し、１つの面内で略９０°回動可能に支持されている。この場合、本実施形態では、係止部５は、基端部５ｂが球状に形成されて、フックベース１１の凹所１１ａ及びフックカバー１２の凹所１２ａに収容されて保持されているため、係止部５は、本体部１０に対し、１つの面内で略９０°回動可能であることに加え、長手方向の軸周りに３６０°に亘って回転可能に支持された状態となっている。
【００３３】
これにより、係止部５は、図８（ａ）に示すような垂直方向に延びる曲面８０、図８（ｂ）に示すような水平方向に延びる曲面８１に装着しても、物を垂直に吊るすことができる位置にセットされる。また、係止部５が軸周りに３６０°に亘って回転可能であることから、図８（ａ）に示す状態において、屈曲した先端部５ａを曲面８０側に退避させておくことができ、不使用時に邪魔になることはない。
【００３４】
なお、前記係止部５は、本体部１０に対して回動／回転することなく、固定されていても良い。その場合、図８（ａ）に示す装着状態、及び図８（ｂ）に示す装着状態に対応可能となるように、係止部５はＵ字形状に形成されていれば良い。また、係止部５には、装着される曲面や平坦面に対し、傷を付けないように、ゴムなどのチューブ状のダンパ５Ａ（図７参照）を被着しておくことが好ましい。また、係止部５は、金属、或いは樹脂で形成することが可能であり、その形状や構成については、種々変形することが可能である。例えば、掛けた物が簡単に外れないようにカラビナ型にしても良い。さらに、係止部５は、基端部５ｂに別体の回転軸を貫通し、この回転軸をフックベース１１の凹所に回転自在に支持して、１つの面内で略９０°回動する構成であっても良い。すなわち、長手方向の軸周りに回転しない構成であっても良い。
【００３５】
前記本体部１０には、係止部５の中心位置Ｃを通る直線（図１、図４のＹ軸）を中心として、吸着部が屈曲可能となるように、Ｙ軸の両サイドに対称となる薄肉厚部が形成されている。この場合、本実施形態では、図４に示すように、本体部１０の裏面に、Ｙ軸を中心として両サイドに対称形状に形成されている。具体的に、薄肉厚部は、Ｙ軸方向に指向するように延びる細溝１０Ａと、本体部１０の裏面に対し段差によって窪んだ領域（凹部１０Ｂ）とを備えており、凹部１０Ｂの領域に前記細溝１０Ａを形成した構成となっている。
【００３６】
これにより、本体部１０（曲面フック）は、Ｙ軸を中心にして両サイドが薄肉厚部１０Ａ，１０Ｂの領域で撓むことができ、特に、凹部１０Ｂの領域で撓み性が良くなるとともに、細溝１０Ａの部分が変曲点となって、吸着部２０Ａ，２０Ｂ、及び、吸着部２０Ｃ，２０Ｄが湾曲し易くなる。すなわち、各吸着部２０Ａ〜２０Ｄは、対向する吸着部２０Ａ，２０Ｂ同士、及び、対向する吸着部２０Ｃ，２０Ｄ同士が屈曲して、円筒面や球面等に追従するように変形することができ、曲面フック１は、後述する各吸着部２０Ａ〜２０Ｄに保持されている吸着部材（ヨークに保持された磁石）を介して、曲面に対して装着することが可能となる。
【００３７】
なお、本体部１０に形成される薄肉厚部については、表面側に形成されていても良いし、その大きさ（長さ、幅）や形状についても、曲面に対する追従性を考慮して適宜変形することが可能である。この場合、両サイドの吸着部材が均等に撓むことができれば、形成する薄肉厚部については、両サイドで非対称形状であっても良い。また、このような薄肉厚部は、係止部の中心位置Ｃを通る直線を中心として、両サイドの吸着部が屈曲し易い構成となっていれば良く、部分的に薄肉厚部を形成したり、テーパによって次第に薄肉厚化を図る等、適宜変形することが可能である。さらに、薄肉厚部の形成位置、及び、フックカバー１２の形状を変形することによって、各吸着部２０Ａ〜２０Ｄは、対向する吸着部２０Ａ，２０Ｂ同士、及び、対向する吸着部２０Ｃ，２０Ｄが、図８に示した屈曲方向とは反対の方向に屈曲するように構成することも可能である。
【００３８】
上記した薄肉厚部は、本体部１０から吸着部２０Ａ〜２０Ｄに亘って形成されていても良いし、吸着部２０Ａ〜２０Ｄのみに形成されていても良い。さらに、係止部の中心位置Ｃを通り、Ｙ軸と直交するＸ軸を中心とした両サイドに形成しておいても良い。
【００３９】
次に、吸着部２０Ａ〜２０Ｄの構成について説明する。なお、各吸着部は、以下のように、ヨークによって保持された磁石（吸着部材）を有しており、全ての吸着部は、同一の構成となっている。このため、図６では、代表的に吸着部２０Ａの構成を示す。
【００４０】
吸着部２０Ａは、円筒状に形成されており、一方側（表側）の開口から吸着部材を挿入し、内部空間に位置決め、セットされるようになっている。吸着部材は、平板状の磁石２４と、これを両側から挟持するように保持する平板状の一対のヨーク２５を備えており、一対のヨーク２５及び磁石２４で形成される磁気回路によって、ヨーク２５の下面２５ａが吸着部分となる。
【００４１】
前記吸着部２０Ａの開口は、円板状の蓋体２１によって閉塞されるようになっており、一対のヨーク２５及び磁石２４によって構成される吸着部材は、開口側から閉塞される蓋体２１と、裏面側から圧入される固定具３０によって、吸着部の内部に保持される。この場合、固定具３０の両サイドは直角に屈曲されており、その端部に係止爪３０ａが形成された構成となっている。
【００４２】
前記吸着部２０Ａに被着される蓋体２１と反対側は、磁力に影響を及ぼさない程度の薄膜２０ｂによって閉塞されている。この薄膜２０ｂは、本体部１０及び吸着部２０Ａ〜２０Ｄと共に一体形成することが可能であり、図４に示すように、固定具３０が挿入されるように細長の孔２０ｄが形成されている。なお、固定具３０は、１つの吸着部に対して２箇所圧入されるため、各吸着部２０Ａ〜２０Ｄの薄膜２０ｂには、２つの孔２０ｄが形成されている。勿論、各吸着部は、薄膜２０ｂを形成することなく、開口した構成であっても良い。
【００４３】
前記吸着部２０Ａの内部には、薄膜２０ｂから垂直に突出する一対の突出壁２０ｃを形成しておくことが好ましい。このような突出壁２０ｃは、一対のヨーク２５及び磁石２４によって構成される吸着部材を開口内に挿入した際、一対のヨーク２５の外側に位置して位置決めすることを可能にする。そして、この状態で、裏側から前記固定具３０を圧入し、かつ、表側から蓋体２１を被着することで、吸着部材は、内部で確実に位置決め、固定することが可能となる。
【００４４】
具体的には、前記蓋体２１には、開口内に突出するように、４つの係止爪２１ａが形成されており、図６に示すように、吸着部の裏面側から圧入される固定具３０に形成された係止爪３０ａと係合し合うことで、吸着部材は、開口内で位置決め、保持される。また、図６（ｂ）に示すように、圧入される固定具３０の係止爪３０ａとヨーク２５との間に突出壁２０ｃが介在することで、磁石とヨークは、開口内において規制された可動範囲を持つようになり、曲面に装着した際、ヨーク２５は、曲面に対して垂直に近くなるように変位し、保持力を高めることができる。
【００４５】
なお、磁石及びヨークによって構成される吸着部材の保持に際しては、吸着部分であるヨーク２５の下面２５ａが、前記係止部５の支持位置Ｃを通る直線（Ｙ軸）と平行となるように仕向けておくことが好ましい。
【００４６】
このような磁石の向きに設定しておくことで、曲面８０，８１の延出方向に沿って磁力が最も大きい面が配置されることから、強い吸着力を発揮することが可能となる。
【００４７】
また、前記円筒形状に形成される吸着部２０Ａ〜２０Ｄについては、その外周面に、装着面側に移行するに従い、次第に縮径するような傾斜面２０ａを形成しておくことが好ましい。
【００４８】
このような傾斜面２０ａを形成しておくことで、傾斜部に指が掛かり易くなり、吸着部２０Ａ〜２０Ｄを装着面から剥がし易くなる。すなわち、同一の耐荷重（例；１０Ｋｇ）を１つの磁石で確保する構造と、本実施形態のように４つの吸着部２０Ａ〜２０Ｄで分散して確保する構造を比べると、前者の構成と比較して、本実施形態の構成の方が装着面から容易に剥がし易くなる。
【００４９】
また、本実施形態では、薄膜２０ｂを介して吸着部材である磁石を平坦面や曲面に接触させるため、平坦面や曲面に傷が付くことを防止することができる。
【００５０】
上記した構成の曲面フック１は、例えば、スチール製のロッカー等、平坦面に装着することができる。また、曲面フック１は、本体部１０と、この本体部１０から径方向に向けて延びる複数個の吸着部２０Ａ〜２０Ｄが弾性を有する素材によって一体的に形成されており、複数の吸着部２０Ａ〜２０Ｄは、本体部に設けられる係止部５の支持位置Ｃを中心として、その周りに略等間隔で配置されていることから、係止部５に物を吊るした際、複数の吸着部に対する荷重のバラツキが少なくなり、剥がれ難くなる。また、各吸着部２０Ａ〜２０Ｄは、本体部１０に対して径方向に向けて突出する（支持位置Ｃを中心として放射状に突出する）ように配設されることから、係止部５に物を吊るした際、吸着部２０Ａ〜２０Ｄに保持された吸着部材には、大きなモーメントが作用することもなく、各吸着部２０Ａ〜２０Ｄは剥がれ難くなる。
【００５１】
さらに、前記本体部１０には、係止部５の中心位置Ｃを通る直線（Ｙ軸）の両サイドに、対称となる薄肉厚部１０Ａ，１０Ｂを形成したことで、その直線を中心にして両サイドが薄肉厚部の領域で撓むことができ、図８（ａ）及び（ｂ）に示すような円筒面、或いは球面等に追従するように変形し、曲面に対しても装着することが可能となる。この場合、水平方向に延びる曲面の横側の面に対して曲面用フック１を装着して荷重物をぶら下げておくと、次第に、荷重によって、曲面用フック１は曲面に沿って移動し、最終的に図８（ｂ）に示すような下側の面で固定される。上記したように、係止部５は、同一面内で９０°回動可能となっているため、曲面用フックは剥がれ落ちるようなことはなく、曲面に沿って移動することが可能となる。
【００５２】
図９及び図１０は、本発明に係る曲面用フックの第２の実施形態を示す図であり、図９は、正面図、図１０は、図９に示す曲面フックの分解図である。
【００５３】
本実施形態の曲面用フック１Ａは、前記実施形態と同様、本体部５０と、本体部５０の支持位置Ｃを中心として径方向に突出する略円筒形の４つの吸着部６０Ａ〜６０Ｄを備えた構成となっている。
前記本体部５０の中央には、円形凹所５０ａが形成されており、その部分に基台５２が装着されるようになっている。円形凹所５０ａの中央には、挿通孔５０ｂが形成されており、基台５２に突出形成されたピン５２ｂが挿入され、基台５２は、裏側から保持部材５７によって保持される。これにより、基台５２は、本体部５０に対し、３６０°回転可能に支持された状態となる。
【００５４】
前記基台５２には、円筒保持部（凹所）５２ａが形成されており、その部分に、係止部７０に形成された略球状の基端部７０ｂが設置される。また、係止部７０の先端部７０ａは、図１０に示すように屈曲しており、物を吊るすことができるようになっている。そして、前記基台５２には、基端部を収容する凹所が形成されたフックカバー５５が被着されるようになっており、フックカバー５５には、係止部７０を同一面内で９０°回動させるように、開口５５ａが形成されている。
【００５５】
このように設置される係止部７０は、同一面内で９０°可能に支持されるとともに軸周りに３６０°回転可能に支持された状態となる。さらに、係止部７０は、上記のように構成された基台５２に保持されていることから、本体部５０に対して３６０°回転可能に支持されている。
【００５６】
前記４つの吸着部６０Ａ〜６０Ｄには、係止部７０の支持位置Ｃを通る直線（Ｘ軸）の両サイドに対称となる薄肉厚部６１が形成されている。具体的に、薄肉厚部６１は、吸着部６０Ａ〜６０Ｄの表面側、及び側面側に形成される溝として構成されており、吸着部６０Ａ，６０Ｄ、及び、吸着６０Ｄ，６０Ｃを、Ｘ軸を中心として屈曲し易いようにしている。
【００５７】
各吸着部６０Ａ〜６０Ｄに保持される吸着部材は、第１の実施形態と同様、磁石とヨークによって構成する場合、その吸着部分は、Ｘ軸方向に沿うように配設することが好ましい。このため、強い保持力で曲面フック１Ａを平坦面や曲面に装着するのであれば、係止部７０は、基台５２によって、図９に示す位置から９０°回転させて使用すれば良い。また、吸着部材として、各吸着部６０Ａ〜６０Ｄの裏面に両面テープを被着しておいても良い。
【００５８】
以上、本発明の実施形態について説明したが、本発明は、上記した実施形態に限定されることは無く、種々変形することが可能である。
例えば、係止部に吊るす物の重量によっては、本体部１０，５０や、吸着部２０Ａ〜２０Ｄ，６０Ａ〜６０Ｄが変形して剥がれ易くなるため、必要に応じて本体部に厚肉部を形成したり、吸着部と本体部との間の連結部分に補強部を形成したり、硬度の高い材料を用いる等、補強手段を用いることが好ましい。また、本体部や吸着部の形状や、各吸着部における吸着部材の保持の仕方等についても、適宜変形することが可能である。
【符号の説明】
【００５９】
１，１Ａ  曲面用フック
５，７０  係止部
１０，５０  本体部
２０Ａ〜２０Ｄ，６０Ａ〜６０Ｄ  吸着部
２０ｂ  薄膜
２１  蓋体
１０Ａ，１０Ｂ，６１  薄肉厚部
【図１】
2014203624.tif 000003
【図２】
2014203624.tif 000004
【図３】
2014203624.tif 000005
【図４】
2014203624.tif 000006
【図５】
2014203624.tif 000007
【図６】
2014203624.tif 000008
【図７】
2014203624.tif 000009
【図８】
2014203624.tif 000010
【図９】
2014203624.tif 000011
【図１０】
2014203624.tif 000012
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
物を吊るす係止部が設けられた本体部と、
平坦面、及び曲面に対して吸着可能であり、ヨークによって保持された磁石を具備した吸着部と、
を有する曲面用フックであって、
前記本体部と吸着部は、弾性を有する素材によって一体的に形成されるとともに、前記吸着部は、前記本体部に設けられる係止部の支持位置を中心として径方向に向けて複数個、突出形成されており、
前記本体部から複数個、突出形成されている前記吸着部は、前記係止部の支持位置を中心として、その周りに略等間隔で配置されており、
前記本体部、及び／又は、前記複数個の吸着部には、前記係止部の支持位置を通る直線を中心として、前記複数個の吸着部が屈曲可能となるように、前記直線の両サイドに対称となる薄肉厚部が形成されており、
前記磁石を保持するヨークの吸着部分は、前記係止部の支持位置を通る前記直線と平行となるように仕向けられている、
ことを特徴とする曲面用フック。
【請求項２】
前記複数個の吸着部は、それぞれの磁石が前記本体部の係止部の支持位置を中心とした任意円の円周上に配置されるように、前記本体部に一体形成されていることを特徴とする請求項１に記載の曲面用フック。
【請求項３】
前記係止部は、前記本体部に対し、１つの面内で略９０°回動可能に支持されていることを特徴とする請求項１又は２に記載の曲面用フック。
【請求項４】
前記係止部は、前記本体部に対し、３６０°に亘って軸周りに回転可能に支持されていることを特徴とする請求項１から３のいずれか１項に記載の曲面用フック。
【請求項５】
前記本体部に３６０°回転可能な基台を設け、前記係止部を基台に支持したことを特徴とする請求項１から４のいずれか１項に記載の曲面用フック。
【請求項６】
前記薄肉厚部は、前記直線の方向に沿った方向に指向する溝を有することを特徴とする請求項１から５のいずれか１項に記載の曲面用フック。
【請求項７】
前記薄肉厚部は、前記直線を中心として、両サイドに形成される凹部、又はテーパを有することを特徴とする請求項１から６のいずれか１項に記載の曲面用フック。
【請求項８】
（削除）
【請求項９】
前記各吸着部には、開口が形成されており、前記磁石を保持したヨークは開口内に保持されて、蓋体によって閉塞されていることを特徴とする請求項１から７のいずれか１項に記載の曲面用フック。
【請求項１０】
前記各吸着部には、前記蓋体と反対側に薄膜が一体形成されており、前記吸着部分は、薄膜を介して前記平坦面、及び曲面に吸着されることを特徴とする請求項９に記載の曲面用フック。
【国際調査報告】
2014203624.tif 000013
2014203624.tif 000014
2014203624.tif 000015
2014203624.tif 000016